(57)【特許請求の範囲】
【請求項１】
遊技店の非会員である一般客に対して遊技店会員への登録を促す会員登録促進システムであって、
少なくとも携帯端末装置のかざし操作を含む操作パターンごとに前記遊技店会員への登録を促進する所定の登録促進パターンを関連付けた登録促進情報を記憶する登録促進情報記憶手段と、
遊技を行う一般客が所持する携帯端末装置のかざし操作を含む操作パターンに基づいて操作履歴を生成する操作履歴生成手段と、
前記操作履歴を記録媒体へ関連付ける関連付け手段と、
前記関連付け手段によって前記操作履歴が関連付けられた記録媒体を受け付けた場合に、当該操作履歴の操作パターンに対応する登録促進パターンを前記登録促進情報から抽出する抽出手段と、
前記抽出手段によって抽出された所定の登録促進パターンに応じた会員勧誘情報を前記一般客へ提示する提示手段と
を備えたことを特徴とする会員登録促進システム。
【請求項２】
前記操作履歴は、
前記一般客による操作を受け付けた時点での持玉価値およびプリペイド残額を含んだ有価価値の有無を含むものであって、
前記登録促進情報記憶手段は、
前記有価価値の有無に関する組み合わせごとに用意された前記所定の操作パターンと前記所定の登録促進パターンとを関連付けた前記登録促進情報を記憶することを特徴とする請求項１に記載の会員登録促進システム。
【請求項３】
前記関連付け手段は、
前記一般客による前記記録媒体の返却操作を受け付けたならば、前記操作履歴を当該記録媒体へ関連付けることを特徴とする請求項１または２に記載の会員登録促進システム。
【請求項４】
前記操作履歴は、
前記一般客が所持する携帯端末装置のかざし操作によって取得した前記携帯端末装置の携帯識別子を含むものであって、
前記抽出手段は、
前記携帯識別子が前記遊技店会員を管理する会員情報に未登録である場合にのみ、前記所定の登録促進パターンを前記登録促進情報から抽出することを特徴とする請求項１、２または３に記載の会員登録促進システム。
【請求項５】
前記提示手段によって提示された前記会員勧誘情報に応じた前記一般客の会員登録操作を受け付けた場合に、前記会員情報を管理する会員情報管理装置へ前記携帯識別子に基づいて仮会員情報を生成するように依頼する仮会員登録依頼手段
をさらに備えたことを特徴とする請求項４に記載の会員登録促進システム。
【発明の詳細な説明】
【技術分野】
【０００１】
本発明は、遊技店の非会員である一般の遊技客に対して会員登録促進を行う会員登録促進システムに関し、特に、潜在的な携帯会員登録希望者の意思をくみとりつつ、かつ、従業員の手を煩わすことなく会員登録促進を行うことができる会員登録促進システムに関する。
【背景技術】
【０００２】
従来、パチンコ店などの遊技店においては、遊技客を遊技店会員（以下、「会員」と記載する）として登録し、かかる会員に獲得遊技媒体価値の預け入れ（いわゆる貯玉）などの特定サービスを提供することによって、固定客の獲得および維持を図ることが行われてきた。
【０００３】
特に、近年、遊技店は、携帯端末普及率の上昇とあわせて、携帯端末を所持する遊技客をいわゆる携帯会員として登録・管理する、携帯会員管理手法の拡大に努めている。
【０００４】
なぜなら、かかる携帯会員管理手法によれば、携帯端末の固有識別子（以下、「携帯ＩＤ」と記載する）を会員識別情報として用いることによって携帯端末を会員カードの代わりに用いることができ、会員カード発行に要する費用を削減することが可能となるからである。
【０００５】
このため、遊技店は、携帯端末を所持する遊技客に対しては三者間通信などを利用して遊技に関する有用な情報を提供するなど、遊技における携帯端末の利便性をアピールして、携帯会員数の増加を図っている（たとえば、特許文献１参照）。ここで、遊技客が携帯会員の登録を希望する場合、店内カウンタなどに出向いて所定の事務手続を行う必要がある。
【０００６】
なお、かかる携帯会員数の増加を目的として、遊技店によって行われる宣伝、告知、勧誘などの促進活動のことを、以下、「会員登録促進」と記載するものとする。
【先行技術文献】
【特許文献】
【０００７】
【特許文献１】特開２００８−２３７５８０号公報
【発明の概要】
【発明が解決しようとする課題】
【０００８】
しかしながら、実際のところ、遊技客が携帯端末を所持しているか否かを遊技店側が知ることは困難である。したがって、従来の会員登録促進においては、たとえば、従業員が店内カウンタで遊技客を接客する際に逐一携帯会員への登録を勧めるなどしていた。
【０００９】
このため、携帯端末を所持していない遊技客は無論のこと、携帯端末を所持してはいるが遊技に利用することに抵抗のある遊技客に対しても勧誘を行うこととなり、かかる遊技客に不快感を与えかねなかった。
【００１０】
また、遊技店側にとっても、会員登録の見込みのない遊技客に対して無用の接客時間を割くこととなり、遊技店の稼働率低下の一因となっていた。
【００１１】
この点、特許文献１の技術は、携帯端末を所持する遊技客向けの技術ではあるが、あくまで遊技に関する情報を一方的に提供するのみのものであった。したがって、遊技店側は、同技術を利用した遊技客の意思をくみとって会員登録促進に利用するすべを持っていなかった。
【００１２】
このため、遊技店側は、携帯会員となる意思を多少なりとも有するような、潜在的な携帯会員登録希望者を見逃していた可能性があった。
【００１３】
これらのことから、潜在的な携帯会員登録希望者の意思をくみとりつつ、かつ、従業員の手を煩わすことなく会員登録促進を行うことができる会員登録促進システムをいかにして実現するかが大きな課題となっている。
【００１４】
本発明は、上述した従来技術による問題点を解消するためになされたものであって、潜在的な携帯会員登録希望者の意思をくみとりつつ、かつ、従業員の手を煩わすことなく会員登録促進を行うことができる会員登録促進システムを提供することを目的とする。
【課題を解決するための手段】
【００１５】
上述した課題を解決し、目的を達成するため、本発明は、遊技店の非会員である一般客に対して遊技店会員への登録を促す会員登録促進システムであって、少なくとも携帯端末装置のかざし操作を含む操作パターンごとに前記遊技店会員への登録を促進する所定の登録促進パターンを関連付けた登録促進情報を記憶する登録促進情報記憶手段と、遊技を行う一般客が所持する携帯端末装置のかざし操作を含む操作パターンに基づいて操作履歴を生成する操作履歴生成手段と、前記操作履歴を記録媒体へ関連付ける関連付け手段と、前記関連付け手段によって前記操作履歴が関連付けられた記録媒体を受け付けた場合に、当該操作履歴の操作パターンに対応する登録促進パターンを前記登録促進情報から抽出する抽出手段と、前記抽出手段によって抽出された所定の登録促進パターンに応じた会員勧誘情報を前記一般客へ提示する提示手段とを備えたことを特徴とする。
【００１６】
また、本発明は、上記の発明において、前記操作履歴は、前記一般客による操作を受け付けた時点での持玉価値およびプリペイド残額を含んだ有価価値の有無を含むものであって、前記登録促進情報記憶手段は、前記有価価値の有無に関する組み合わせごとに用意された前記所定の操作パターンと前記所定の登録促進パターンとを関連付けた前記登録促進情報を記憶することを特徴とする。
【００１７】
また、本発明は、上記の発明において、前記関連付け手段は、前記一般客による前記記録媒体の返却操作を受け付けたならば、前記操作履歴を当該記録媒体へ関連付けることを特徴とする。
【００１８】
また、本発明は、上記の発明において、前記操作履歴は、前記一般客が所持する携帯端末装置のかざし操作によって取得した前記携帯端末装置の携帯識別子を含むものであって、前記抽出手段は、前記携帯識別子が前記遊技店会員を管理する会員情報に未登録である場合にのみ、前記所定の登録促進パターンを前記登録促進情報から抽出することを特徴とする。
【００１９】
また、本発明は、上記の発明において、前記提示手段によって提示された前記会員勧誘情報に応じた前記一般客の会員登録操作を受け付けた場合に、前記会員情報を管理する会員情報管理装置へ前記携帯識別子に基づいて仮会員情報を生成するように依頼する仮会員登録依頼手段をさらに備えたことを特徴とする。
【発明の効果】
【００２０】
本発明によれば、少なくとも携帯端末装置のかざし操作を含む操作パターンごとに前記遊技店会員への登録を促進する所定の登録促進パターンを関連付けた登録促進情報を記憶しておき、遊技を行う一般客が所持する携帯端末装置のかざし操作を含む操作パターンに基づいて操作履歴を生成し、操作履歴を記録媒体へ関連付け、操作履歴が関連付けられた記録媒体を受け付けた場合に、当該操作履歴の操作パターンに対応する登録促進パターンを登録促進情報から抽出し、抽出された所定の登録促進パターンに応じた会員勧誘情報を一般客へ提示することとしたので、操作履歴に基づいて潜在的な携帯会員の登録希望者の意思をくみとることができ、かつ、従業員の手を煩わすことなく自動的に会員登録促進を行うことができるという効果を奏する。
【００２１】
また、本発明によれば、操作履歴は、一般客による操作を受け付けた時点での持玉価値およびプリペイド残額を含んだ有価価値の有無を含むものであって、かかる有価価値の有無に関する組み合わせごとに用意された所定の操作パターンと所定の登録促進パターンとを関連付けた登録促進情報を記憶することとしたので、有価価値を有する時点で所定の操作を行った、会員登録の見込みの高い一般客に対して効果的に会員登録促進を行うことできるという効果を奏する。あわせて、会員登録の見込みの少ない一般客に対する無用の会員登録促進を避けることができるという効果を奏する。
【００２２】
また、本発明によれば、一般客による記録媒体の返却操作を受け付けたならば、操作履歴をかかる記録媒体へ関連付けることとしたので、会員登録を希望する可能性が高いと見込まれる、有価価値を有する一般客に絞り込んで会員登録促進を行うことができるという効果を奏する。したがって、遊技店側は、有価価値を有しない、会員登録の見込みの少ない一般客に対しては無用な勧誘などを行う必要がなく、従業員の手を煩わせないという効果を奏する。
【００２３】
また、本発明によれば、操作履歴は、一般客が所持する携帯端末装置のかざし操作によって取得した携帯端末装置の携帯識別子を含むものであって、かかる携帯識別子が遊技店会員を管理する会員情報に未登録である場合にのみ、所定の登録促進パターンを登録促進情報から抽出することとしたので、遊技客のうち、携帯電話を所持し、かつ、携帯電話の操作にも慣れた一般客を、見込み客の候補者として自動的に絞り込むことできるという効果を奏する。したがって、遊技店側にとっても、遊技客が携帯電話を所持しているか、また、携帯電話の操作に慣れた者であるか、といった見当を逐一つける必要がなく、従業員の手を煩わせないという効果を奏する。
【００２４】
また、本発明によれば、提示された会員勧誘情報に応じた一般客の会員登録操作を受け付けた場合に、会員情報を管理する会員情報管理装置へ携帯識別子に基づいて仮会員情報を生成するように依頼することとしたので、携帯会員については、会員登録促進から仮会員登録までを自動的に行うことができるという効果を奏する。したがって、携帯会員への登録を希望する一般客にとっては、簡易な登録手順で会員サービスの提供を受けることができるようになるという効果を奏する。また、遊技店側にとっても、従業員の手を煩わすことなく、あらたな会員を獲得することができるという効果を奏する。
【図面の簡単な説明】
【００２５】
【図１】図１は、本発明に係る会員登録促進手法の概要を示す図である。
【図２】図２は、本実施例に係る台間装置、管理装置、登録促進端末が接続されるネットワーク環境を示す図である。
【図３】図３は、台間装置および精算機の外観図である。
【図４】図４は、台間装置、管理装置、登録促進端末の構成を示すブロック図である。
【図５】図５は、見込み客選定部と登録促進情報との関連を示す図である。
【図６】図６は、登録促進端末の操作遷移例を示す図である。
【図７】図７は、台間装置が実行する処理手順を示すフローチャートである。
【図８】図８は、登録促進端末が実行する処理手順を示すフローチャートである。
【図９】図９は、台間装置が登録促進端末である場合の変形例を示す図である。
【図１０】図１０は、登録促進情報の定義の変形例を示す図である。
【発明を実施するための形態】
【００２６】
以下に、添付図面を参照して、本発明に係る会員登録促進手法の好適な実施例を詳細に説明する。なお、以下では、本発明に係る会員登録促進手法の概要について図１を用いて説明した後に、本発明に係る会員登録促進手法を適用した会員登録促進システムについての実施例を図２〜図１０を用いて説明することとする。
【００２７】
また、以下の説明では、会員登録促進に関連するユーザインタフェースを提供する機構を備えた装置を総称して、「登録促進端末」と記載することとする。これを前提として、以下では、登録促進端末が、店内に配置され、遊技客の有するプリペイド残額に応じて貨幣を払い出す精算機である場合について主に説明する。
【００２８】
また、以下の説明における用語の定義として、「非接触ＩＣチップ搭載の携帯端末」を単に「携帯電話」と、「携帯電話を所持し、遊技店の会員情報に携帯会員として登録されている遊技客」を単に「携帯会員」と、それぞれ記載することとする。
【００２９】
まず、実施例の詳細な説明に先だって、本発明に係る会員登録促進手法の概要について、図１を用いて説明する。図１は、本発明に係る会員登録促進手法の概要を示す図である。なお、同図の（Ａ）には、本発明に係る会員登録促進手法が適用される遊技客層を、同図の（Ｂ）には、本発明に係る会員登録促進手法を適用した場合の会員登録促進手順を、それぞれ示している。
【００３０】
図１の（Ａ）に示したように、本発明に係る会員登録促進手法では、会員として未登録である一般客Ｐを適用対象の母集団とする。そして、一般客Ｐが行った所定の操作に基づき、携帯所持者Ｕに含まれる携帯操作の習熟者Ｓを絞り込み、さらに携帯会員となる意思を有すると見込まれる見込み客Ｔを選定する。
【００３１】
具体的には、同図の（Ｂ）に示したように、一般客Ｐが遊技中に所定の操作を行うと、台間装置１０は、かかる一般客Ｐの操作履歴を装置内部に生成する。なお、「所定の操作」には、台間装置１０が備える操作ボタン操作や携帯電話のかざし操作などを含むものとする。
【００３２】
また、同図の（Ｂ−１）には、台間装置１０が備える操作・表示部５４ａに表示されたガイダンスなどにしたがって、一般客Ｐが携帯電話への情報提供ボタンに相当する「ｉボタン」を押下する操作を、同図の（Ｂ−２）には、一般客Ｐの携帯かざし操作を、それぞれ示している。
【００３３】
そして、同図の（Ｂ−３）に示したように、台間装置１０は、一般客Ｐの遊技終了時に、生成した操作履歴を装置内部に保持した一般カード１Ｐへと関連付けて、装置外部へ排出する。たとえば、同図の（Ｂ−３）には、「ｉボタンを押下」（同図の（Ｂ−１）参照）や「携帯をかざした」（同図の（Ｂ−２）参照）といった旨の操作履歴が一般カード１Ｐへ関連付けられていることを示している。
【００３４】
ところで、図示していないが、台間装置１０が一般カード１Ｐを排出する場合、かかる一般カード１Ｐには、一般客Ｐの獲得遊技媒体価値である持玉やプリペイド残額が関連付けられる。したがって、前述の操作履歴は、かかる持玉およびプリペイド残額と併せて関連付けられるものとする。
【００３５】
つづいて、遊技を終えた一般客Ｐは、プリペイド残額を有する場合、精算機４００へ一般カード１Ｐを挿入して、残額価値に相当する貨幣の払い戻しを受けることができる。ここで、かかる払い戻しに先だち、管理装置（図示せず）は、精算機４００へ挿入された一般カード１Ｐの操作履歴に基づいて見込み客Ｔを選定する。
【００３６】
具体的には、管理装置（図示せず）は、所定の操作パターンごとの登録促進指示を定義する定義情報を有しており、一般カード１Ｐへと関連付けられた操作履歴が、かかる定義情報のいずれかの操作パターンと合致するか否かを判定する。
【００３７】
そして、操作履歴がいずれかの操作パターンと合致した場合、管理装置（図示せず）は、かかる操作履歴の操作を行った一般客Ｐを見込み客Ｔとして選定する。
【００３８】
そして、一般客Ｐがかかる見込み客Ｔであると選定された場合（同図の（Ｂ−４）参照）、登録促進端末である精算機４００は、管理装置（図示せず）から受け付けた登録促進指示に基づき、見込み客Ｔに対して所定の会員登録促進を行う（同図の（Ｂ−５）参照）。
【００３９】
なお、「所定の会員登録促進」とは、同図の（Ｂ−５）に示したように、たとえば、精算機４００の操作・表示部５４ｂに対して「お得な携帯会員に登録しませんか？」といった会員登録を促すメッセージなどを表示したうえで、会員登録の承諾あるいは拒否にそれぞれ相当する、「する」ボタンや「しない」ボタンを配置することなどを指す。
【００４０】
なお、前述の定義情報には、携帯電話を利用した所定の操作パターンを定義することができ、かかる操作パターンの定義の段階で、同図の（Ａ）に示した、携帯所持者Ｕならびに携帯操作の習熟者Ｓを絞り込むことができる。
【００４１】
また、同定義情報には、一般客の操作を受け付けた時点での持玉やプリペイド残額といった有価価値の有無を組み合わせることができ、かかる有価価値の有無に応じて見込み客Ｔの見込み度を区分けすることができる。
【００４２】
このように、本発明に係る会員登録促進手法によれば、一般客Ｐが携帯電話を所持しているか否かを遊技店側が把握していなくとも、自動的に一般客Ｐを見込み客Ｔであると選定したうえで会員登録促進を行うことができる。したがって、遊技店側にとっては、一般客Ｐに対して逐一勧誘などを行う必要がなく、従業員の煩雑な作業を減らすことができる。
【００４３】
また、遊技客にとっても、見込み客Ｔであると選定された場合にのみ会員登録促進を受けることとなるので、無用の勧誘などによる不快感を感ずることなく、遊技の娯楽性を享受することができる。
【００４４】
以下では、図１を用いて説明した会員登録促進手法を適用した会員登録促進システムについての実施例を詳細に説明する。
【実施例】
【００４５】
まず、本発明に係る台間装置、管理装置、登録促進端末が接続されるネットワーク環境について図２を用いて説明する。図２は、本発明に係る台間装置、管理装置、登録促進端末が接続されるネットワーク環境を示す図である。
【００４６】
同図に示すように、遊技台１００ごとに併設される台間装置１０は、店舗内ＬＡＮ（Local  Area  Network）２０などのネットワーク経由で、管理装置２００、島コントローラ３００、精算機４００、会員端末５００、カード処理機６００、景品管理機７００、景品払出機８００といった各装置と接続されている。
【００４７】
なお、本発明に係る会員登録促進システムは、台間装置１０と、管理装置２００と、登録促進端末である精算機４００とを含むものとする。
【００４８】
ここで、管理装置２００は、所定の登録促進パターンなどを遊技客の所定の操作ごとに管理するデータベース（以下、「ＤＢ」と記載する）である登録促進ＤＢ２００ａを有している。なお、登録促進ＤＢ２００ａが管理する情報の詳細については、図５を用いて後述する。
【００４９】
また、同じく管理装置２００が有する会員ＤＢ２００ｂは、会員の住所、電話番号、メールアドレス、携帯ＩＤなどを含んだ会員個人に関する情報を管理するＤＢである。
【００５０】
また、同じく管理装置２００が有する仮会員ＤＢ２００ｃは、会員ＤＢ２００ｂと同様に、会員個人に関する情報を管理するＤＢである。ただし、仮会員ＤＢ２００ｃが管理する情報は、たとえば、携帯ＩＤや暗証番号といった比較的簡易な操作で入力可能な情報で構成される。
【００５１】
したがって、本発明に係る会員登録促進システムを用いた場合、一般客Ｐが携帯電話を所持していれば、一般客Ｐによる操作のみで仮会員登録を行うことができる。また、仮会員が本会員への移行を希望する場合には、店内カウンタなどで申込用紙に必要事項を記入するなどの本会員登録手続きを経ることとなる。なお、本会員登録手続きを省略し、仮会員登録を本会員登録とみなすこととしてもよい。
【００５２】
なお、本実施例における説明では、「会員登録」に係る「会員」とは、主に「仮会員」を指すものとする。したがって、特に明示しない限り、「会員登録」とは、「仮会員登録」を指すものとする。
【００５３】
島コントローラ３００は、台間装置１０および遊技台１００が設置される遊技島ごとに設けられる中継装置であり、たとえば、管理装置２００／台間装置１０間、あるいは、管理装置２００／遊技台１００間などの通信データを中継する。
【００５４】
ここで、登録促進端末である精算機４００は、会員登録促進メッセージなどを操作・表示部５４ｂへ表示するなど、所定の会員登録促進を行う装置である（図１の（Ｂ−５）参照）。なお、かかる精算機４００が行う会員登録促進の内容については、図６を用いて後述する。
【００５５】
また、精算機４００は、会員に対して配布される会員カードや、非会員である一般客Ｐ（図１参照）が利用する一般カード１Ｐに関連付けられたプリペイド残額に応じた貨幣を払い出す装置でもある。
【００５６】
会員端末５００は、会員が、持玉の預け入れである貯玉を希望する場合に、かかる貯玉の指示操作を受け付ける端末装置である。また、一般客Ｐが貯玉を希望する場合には、かかる貯玉の指示操作を受け付けるに先だって、一般客Ｐの会員登録操作を受け付けることができる装置でもある。
【００５７】
また、カード処理機６００、景品管理機７００、景品払出機８００といった各装置は、会員の入会手続きや景品交換などを受け付ける店内カウンタなどに配置される。かかる店内カウンタなどへ遊技客がカードを持参し、カード処理機６００へカードを読み取らせると、従業員は、景品管理機７００や景品払出機８００を操作して、遊技客の持玉価値に相当する景品との交換業務を行う。
【００５８】
なお、図２においては、管理装置２００という単一の管理装置による構成を示したが、管理装置２００を、複数の管理装置にて構成することとしてもよい。これに伴い、同図において示した登録促進ＤＢ２００ａ、会員ＤＢ２００ｂ、仮会員ＤＢ２００ｃの各データベースもまた、複数の管理装置が分散して有することとしてもよい。
【００５９】
また、台間装置１０を、登録促進端末として構成することとしてもよい。この点については、図９を用いて後述する。
【００６０】
次に、図２に示した台間装置１０および精算機４００について、さらに詳細に説明する。図３は、台間装置１０および精算機４００の外観図である。なお、同図には、台間装置１０および精算機４００の特徴を説明するために必要な構成のみを示しており、装置の外観や構成部品の形状などを限定するものではない。
【００６１】
また、同図の（Ａ）には、台間装置１０の外観図を、同図の（Ｂ）には、精算機４００の外観図を、それぞれ示している。なお、同図の（Ａ）には、台間装置１０が併設された遊技台１００を破線で示している。また、同図の（Ａ）では、紙幣のみを受け付ける台間装置１０を示しているが、硬貨受け付け用のユニットを備えることとしてもよい。
【００６２】
図３の（Ａ）に示したように、台間装置１０は、台間装置１０の装置状態を所定色のランプの点灯あるいは点滅で表示する状態表示部５１と、遊技媒体貸し出しのための各種紙幣を受け付ける紙幣挿入部５２と、遊技店の従業員が携帯するリモコンからの指示を受け付けるリモコン受光部５３と、ディスプレイなどの表示部およびテンキー、ｉボタンといった操作部を含んだ操作・表示部５４ａとを備えている。
【００６３】
また、台間装置１０は、パチンコ玉などの遊技媒体を払い出すノズルを備えた持玉払出部５５と、携帯電話とのデータ送受信を行う携帯通信部５６とを備えている。かかる携帯通信部５６／携帯電話間の通信手段は特に限定する必要はなく、たとえば非接触ＩＣチップのリーダライタを用いることとしてもよいし、赤外線通信を用いることとしてもよい。なお、本実施例においては、非接触ＩＣチップのリーダライタを用いるものとして説明を行う。
【００６４】
さらに、台間装置１０は、一般カード１Ｐや会員カードといったカード状記録媒体の挿入口であるとともに、操作履歴や持玉、プリペイド残額などが関連付けられた一般カード１Ｐあるいは会員カードの排出口でもあるカード挿入部５７ａと、遊技客の持玉を計数する計数部５８と、現物の持玉を貯留する玉貯留部５９とを備えている。
【００６５】
ここで、遊技台１００の下皿から落下した遊技媒体は、玉貯留部５９を経て計数部５８へと導かれ、数量を計数される。なお、計数後の遊技媒体は、遊技島内に形成される図示しない遊技媒体回収経路へ排出されるが、計数結果（持玉）は台間装置１０内部に記憶される。
【００６６】
また、図３の（Ｂ）に示したように、精算機４００は、ディスプレイなどの表示部およびテンキーなどの操作部を含んだ操作・表示部５４ｂと、一般カード１Ｐや会員カードといったカード状記録媒体の挿入口であるとともに、貨幣払出後にプリペイド残額との関連付けを解消された同媒体の排出口でもあるカード挿入部５７ｂと、紙幣の払出口である紙幣払出部６０と、硬貨の払出口である硬貨払出部６１とを備えている。
【００６７】
ここで、図３の（Ａ）に示した操作・表示部５４ａおよび同図の（Ｂ）に示した操作・表示部５４ｂについては、構成部品を限定する必要はない。したがって、指やポインティングデバイスなどの押圧感知により入力を受け付け、かつ表示出力も兼ねるタッチパネル式の液晶ディスプレイなどを用いることとしてもよい。
【００６８】
なお、本実施例においては、上述したタッチパネル式の液晶ディスプレイを用いて、会員登録促進に関連する表示や入力操作を行う場合について説明することとする。
【００６９】
次に、本発明に係る各装置の構成について図４を用いて説明する。図４は、本発明に係る台間装置１０、管理装置２００、登録促進端末９００の構成を示すブロック図である。なお、同図には、台間装置１０、管理装置２００、登録促進端末９００の特徴を説明するために必要な構成要素のみを示しており、一般的な構成要素についての記載を省略している。
【００７０】
同図に示すように、台間装置１０は、通信Ｉ／Ｆ（インタフェース）１１と、携帯ＩＤ読取部１２と、操作部１３と、カード保持部１４と、計数部１５と、制御部１６と、記憶部１７とを備えている。また、制御部１６は、操作履歴生成部１６ａと、関連付け部１６ｂとをさらに備えている。そして、記憶部１７は、残額情報１７ａと、操作履歴１７ｂと、持玉情報１７ｃとを記憶する。
【００７１】
通信Ｉ／Ｆ（インタフェース）１１は、ＬＡＮ（Local  Area  Network）ボードなどの通信デバイスで構成され、図２に示した店舗内ＬＡＮ２０などのネットワーク経由で、管理装置２００とのデータ送受信を行う。
【００７２】
携帯ＩＤ読取部１２は、図３に示した携帯通信部５６に対応するデバイスであり、遊技客がかざした携帯電話から携帯ＩＤを読み取り、かかる携帯ＩＤを操作履歴生成部１６ａに対して通知する。
【００７３】
操作部１３は、台間装置１０に対する操作を受け付けるボタンなどの入力デバイスから構成される。かかる操作部１３は、たとえば、携帯電話への情報提供ボタンに相当する「ｉボタン」を有しており、遊技客によってｉボタンが押下された場合には、ｉボタンが押下された旨を示す信号を操作履歴生成部１６ａに対して通知する。
【００７４】
カード保持部１４は、図３に示したカード挿入部５７ａに対応するデバイスであり、一般カード１Ｐや会員カードの挿入を受け付けて保持する。また、遊技店の開店前などに、所定枚数の一般カード１Ｐをあらかじめ格納するデバイスでもある。
【００７５】
また、カード保持部１４は、挿入されたカードに関連付けられたプリペイド残額や持玉価値がある場合には、かかる残額や持玉価値を残額情報１６ａや持玉情報１６ｃへそれぞれ登録する処理を行う。
【００７６】
また、カード保持部１４は、関連付け部１６ｂからのカード排出指示に基づき、関連付け部１６ｂによって操作履歴、持玉、プリペイド残額などが関連付けられた一般カード１Ｐを排出する処理を行う。
【００７７】
計数部１５は、遊技客が獲得した遊技媒体の数を計数するとともに、計数結果で記憶部１７の持玉情報１７ｃを更新していく処理を行うデバイスである。
【００７８】
制御部１６は、図１の（Ｂ）に示した、操作履歴の生成、操作履歴の一般カード１Ｐへの関連付けといった処理を行う処理部である。
【００７９】
操作履歴生成部１６ａは、操作部１３から通知された信号に基づき、遊技客が行った操作の履歴を随時操作履歴１７ｂとして記憶部１７へ記憶させる処理を行う処理部である。また、操作履歴生成部１６ａは、携帯ＩＤ読取部１２から通知された携帯ＩＤを、携帯電話のかざし操作があったものとして取り扱うとともに、かざし操作や操作部１３が受け付けた操作を操作履歴１７ｂへ追加していく処理を行う処理部でもある。
【００８０】
なお、操作履歴生成部１６ａは、かかる操作履歴１７ｂの更新を行う際、台間装置１０が遊技客による各操作を受け付けた時点での持玉あるいはプリペイド残額の有無を操作履歴１７ｂへ含めるものとする。
【００８１】
また、操作履歴生成部１６ａは、操作部１３から遊技終了を示す操作、たとえば、カードを返却する操作に相当する「返却ボタン」が押下された旨の信号を受け取った場合に、関連付け部１６ｂに対して関連付け開始指示を通知する処理部でもある。
【００８２】
関連付け部１６ｂは、操作履歴生成部１６ａからの関連付け開始指示を受けて、操作履歴などをカードへ関連付ける処理を行う処理部である。具体的には、残額情報１７ａ、操作履歴１７ｂ、持玉情報１７ｃの関連付け先を、カード保持部１４に保持された一般カード１Ｐとするように管理装置２００のカード管理部２０２ａに対して通知する。したがって、かかる通知には、一般カード１Ｐを一意に識別するカード識別子を含むものとする。
【００８３】
また、関連付け部１６ｂは、関連付け終了後、カード保持部１４に対してカード排出指示を通知する処理部でもある。
【００８４】
なお、関連付け部１６ｂは、残額情報１７ａあるいは持玉情報１７ｃが存在する場合にのみ上述の関連付けを行うものとする。すなわち、カード返却操作を受け付けた時点で、持玉およびプリペイド残額とも有しない一般客Ｐに対しては、一般カード１Ｐを用いた会員登録促進は行われないこととなる。
【００８５】
記憶部１７は、ハードディスクドライブや不揮発性メモリといった記憶デバイスで構成される記憶部であり、残額情報１７ａと、操作履歴１７ｂと、持玉情報１７ｃとを記憶する。
【００８６】
残額情報１７ａは、プリペイド残額を示す値である。また、残額情報１７ａは、紙幣挿入部５２（図３参照）に紙幣が挿入された場合に、紙幣の貨幣価値に相当する値が初期値として設定される。そして、貸出ボタンなどが押下されるたびに、払出数に相当する額が減算されていく。
【００８７】
操作履歴１７ｂは、遊技客によって行われた操作の履歴であり、操作履歴生成部１６ａによって随時登録される。また、操作履歴１７ｂには、携帯ＩＤ読取部１２が読み取った携帯ＩＤが含まれており、さらに、台間装置１０が遊技客による各操作を受け付けた時点での持玉あるいはプリペイド残額の有無が含まれるものとする。
【００８８】
持玉情報１７ｃは、遊技媒体の計数値であり、計数部１５によって登録される。また、カード保持部１４に挿入されたカードに持玉が関連付けられている場合には、この持玉を持玉情報１７ｃの初期値として用いることも可能である。
【００８９】
次に、管理装置２００の構成について説明する。同図に示すように、管理装置２００は、通信Ｉ／Ｆ（インタフェース）２０１と、制御部２０２と、記憶部２０３とを備えている。また、制御部２０２は、カード管理部２０２ａと、見込み客選定部２０２ｂと、登録促進指示部２０２ｃとをさらに備えている。そして、記憶部２０３は、カード情報２０３ａと、登録促進情報２０３ｂと、会員情報２０３ｃとを記憶する。
【００９０】
通信Ｉ／Ｆ（インタフェース）２０１は、ＬＡＮ（Local  Area  Network）ボードなどの通信デバイスで構成され、図２に示した店舗内ＬＡＮ２０などのネットワーク経由で、台間装置１０や登録促進端末９００である精算機４００とのデータ送受信を行う。
【００９１】
制御部２０２は、見込み客Ｔの選定や、選定した見込み客Ｔへの登録促進指示などの処理を行う処理部である。
【００９２】
カード管理部２０２ａは、台間装置１０の関連付け部１６ｂから通知された関連付け指示に基づき、操作履歴、持玉、プリペイド残額などをカード識別子と関連付けて、カード情報２０３ａへ登録する処理部である。また、カード管理部２０２ａは、見込み客選定部２０２ｂに対して、登録促進端末９００の登録促進部９０４ａから通知されたカード識別子に該当するカード情報２０３ａを通知する処理部でもある。
【００９３】
見込み客選定部２０２ｂは、カード管理部２０２ａから通知されたカード情報２０３ａと、会員登録促進に関する定義情報である登録促進情報２０３ｂとに基づき、図１に示した見込み客Ｔの選定を行う処理部である。なお、かかる処理の詳細については、図５を用いて後述する。
【００９４】
また、見込み客選定部２０２ｂは、会員情報２０３ｃを参照して、会員として未登録である一般客Ｐのみを選定の対象とする処理部でもある。
【００９５】
また、見込み客選定部２０２ｂは、選定した見込み客Ｔに対して所定の会員登録促進を行うように、登録促進指示部２０３ｃへ通知する処理部でもある。
【００９６】
登録促進指示部２０２ｃは、見込み客選定部２０２ｂから通知された所定の会員登録促進の指示を、登録促進端末９００の登録促進部９０４ａに対して通知する処理部である。かかる指示の内容には、たとえば、登録促進端末９００の操作・表示部９０３に対して表示する登録促進メッセージなどを含むものとする。
【００９７】
また、登録促進指示部２０２ｃは、登録促進端末９００が見込み客Ｔから受け付けた会員登録指示操作に基づき、見込み客Ｔを会員として会員情報２０３ｃへ登録する処理を行う処理部でもある。
【００９８】
記憶部２０３は、ハードディスクドライブや不揮発性メモリといった記憶デバイスで構成される記憶部であり、カード情報２０３ａと、登録促進情報２０３ｂと、会員情報２０３ｃとを記憶する。
【００９９】
カード情報２０３ａは、カード識別子ごとに操作履歴、持玉、プリペイド残額などを関連付けた情報であり、カード管理部２０２ａによって登録される。
【０１００】
登録促進情報２０３ｂは、あらかじめ所定の操作パターンごとに所定の登録促進パターンを定義づけた静的な定義情報であり、図２に示した登録促進ＤＢ２００ａによって管理される。
【０１０１】
会員情報２０３ｃは、会員（仮会員を含む）を一意に識別する会員識別子ごとに、携帯ＩＤ、電話番号、暗証番号、メールアドレスなどを関連付けた、会員個人に関する情報である。したがって、会員情報２０３ｃは、図２に示した会員ＤＢ２００ｂおよび仮会員ＤＢ２００ｃによって管理される。
【０１０２】
ここで、見込み客選定部２０２ｂと登録促進情報２０３ｂとの関連について、図５を用いて詳細に説明しておく。図５は、見込み客選定部２０２ｂと登録促進情報２０３ｂとの関連を示す図である。
【０１０３】
なお、同図の（Ａ）には、登録促進情報２０３ｂの定義例を、同図の（Ｂ）には、登録促進情報２０３ｂの促進パターンに対応する登録促進例を、それぞれ示している。
【０１０４】
また、同図の（Ａ）に示した促進パターン「登録促進Ａ」、「登録促進Ｂ」、「登録促進Ｃ」は、それぞれ見込み度「高」、「中」、「低」を示しており、また、同図の（Ｂ−ａ）、（Ｂ−ｂ）、（Ｂ−ｃ）の登録促進例にそれぞれ対応している。
【０１０５】
図５の（Ａ）に示したように、登録促進情報２０３ｂには、あらかじめ携帯電話を用いた所定の操作パターンごとに所定の登録促進パターンが定義されている。
【０１０６】
ここで、見込み客選定部２０２ｂは、処理対象である一般カード１Ｐへ関連付けられた操作履歴が、登録促進情報２０３ｂのいずれかの操作パターンに合致するか否かを判定する。そして、いずれかの操作パターンに合致した場合、見込み客選定部２０２ｂは、合致した操作パターンに対応する促進パターンを参照する。
【０１０７】
たとえば、操作履歴が、持玉およびプリペイド残額がともに存在する時点で携帯電話への情報提供ボタンに相当する「ｉボタン」が押下されたものであったとする。そして、操作パターン番号００１がかかる操作履歴に合致する内容であったとする。この場合、見込み客選定部２０２ｂは、同操作履歴に合致する操作パターン番号００１の促進パターンである「登録促進Ａ」を参照する（同図の（Ａ）参照）。
【０１０８】
そして、見込み客選定部２０２ｂは、かかる「登録促進Ａ」に対応する、同図の（Ｂ−ａ）に示した登録促進例に基づいて登録促進指示を行うように、登録促進指示部２０２ｃに対して通知を行うこととなる。
【０１０９】
なお、同図の（Ａ）に示した「登録促進Ａ」は、持玉あるいはプリペイド残額が存在する時点で、携帯電話のかざし操作を含む所定の操作を行った場合の促進パターンである。かかる場合、遊技客は携帯会員への提供サービスである携帯電話による貯玉、あるいは、プリペイド残額のチャージを希望したと判定され、見込み度「高」の見込み客Ｔとして取り扱われる（同図の（Ａ）の操作パターン番号００１〜００３、００５〜００７、００９〜０１１参照）。
【０１１０】
したがって、同図の（Ｂ−ａ）の登録促進例は、会員登録受付へ誘導する登録促進指示となっている。
【０１１１】
同様に、同図の（Ａ）に示した「登録促進Ｂ」は、持玉あるいはプリペイド残額が存在しないものの、ｉボタンの押下、および携帯電話のかざし操作を受け付けた場合の促進パターンである（同図の（Ａ）の操作パターン番号００４参照）。
【０１１２】
かかる場合、遊技客は少なくとも携帯電話への情報提供を希望したと判定され、管理装置２００は、同図の（Ｂ−ｂ）に示したように、携帯会員に対しては特有の情報提供がある旨の登録促進指示を行うこととなる。
【０１１３】
また、同様に、同図の（Ａ）に示した「登録促進Ｃ」は、持玉あるいはプリペイド残額が存在しない時点で、携帯電話のかざし操作のみを受け付けた場合の促進パターンである（同図の（Ａ）の操作パターン番号０１２参照）。
【０１１４】
かかる場合、遊技客は無造作に携帯電話をかざしたものの、携帯電話を利用したことで会員登録促進の余地があると判定される。したがって、管理装置２００は、同図の（Ｂ−ｃ）に示した、携帯会員の特典を紹介する旨の登録促進指示を行うこととなる。
【０１１５】
図４の説明に戻り、次に、登録促進端末９００の構成について説明する。同図に示すように、登録促進端末９００は、通信Ｉ／Ｆ（インタフェース）９０１と、カード読取部９０２と、操作・表示部９０３と、制御部９０４とを備えている。また、制御部９０４は、登録促進部９０４ａをさらに備えている。
【０１１６】
通信Ｉ／Ｆ（インタフェース）９０１は、ＬＡＮ（Local  Area  Network）ボードなどの通信デバイスで構成され、図２に示した店舗内ＬＡＮ２０などのネットワーク経由で、管理装置２００とのデータ送受信を行う。
【０１１７】
カード読取部９０２は、図３に示した精算機４００のカード挿入部５７ｂに対応するデバイスであり、一般カード１Ｐや会員カードの挿入を受け付けてカード識別子を読み取り、かかるカード識別子を登録促進部９０４ａに対して通知する。
【０１１８】
操作・表示部９０３は、登録促進端末９００に対する操作を受け付けるボタンなどの入力デバイスと、各種情報、たとえば、見込み客Ｔに対する登録促進メッセージなどを表示するディスプレイなどの出力デバイスとから構成される。
【０１１９】
制御部９０４の登録促進部９０４ａは、カード読取部９０２から通知されたカード識別子を、管理装置２００のカード管理部２０２ａに対して通知する処理部である。
【０１２０】
また、登録促進部９０４ａは、管理装置２００の登録促進指示部２０２ｃから受けた登録促進指示に基づき、所定の会員登録促進メッセージなどの表示指示を操作・表示部９０３に対して通知する処理部でもある。
【０１２１】
また、登録促進部９０４ａは、会員登録促進の結果、見込み客Ｔの会員登録操作を受け付けた場合に、管理装置２００の登録促進指示部２０２ｃに対して、かかる会員登録を依頼する処理部でもある。さらに、登録促進部９０４ａは、かかる会員登録依頼の処理結果を同登録促進指示部２０２ｃから受け取り、操作・表示部９０３に対して通知する処理部でもある。
【０１２２】
ここで、登録促進端末９００の具体的な操作遷移例について、図６を用いて説明しておく。図６は、精算機４００を例にした場合の、登録促進端末９００の操作遷移例を示す図である。
【０１２３】
図６の（Ａ−１）に示したように、一般客Ｐが、操作履歴が関連付けられた一般カード１Ｐを所持しているとする。なお、ここでの操作履歴は、図５の（Ａ）に示した操作パターン番号００１〜００３のいずれかに相当するものとする。したがって、促進パターンは、見込み度の高い登録促進Ａ（図５の（Ａ）参照）ということになり、精算機４００は図５の（Ｂ−ａ）に示した会員登録受付への誘導画面を表示することとなる。
【０１２４】
そして、精算機４００は、かかる一般カード１Ｐの挿入を受け付けると（図６の（Ａ−２）参照）、管理装置２００から登録促進Ａの登録促進指示を受けて、操作・表示部５４ｂに対して「お得な携帯会員に登録しませんか？」といった旨の会員登録受付への誘導画面を表示する（同図の（Ａ−３）参照）。
【０１２５】
そして、見込み客Ｔと選定された一般客Ｐが、会員登録の承諾に相当する「する」ボタンを押下して（同図の（Ａ−３）参照）、操作・表示部５４ｂから会員登録に必要な暗証番号や電話番号などの入力操作を行うと（同図の（Ａ−４）参照）、精算機４００は管理装置２００へ会員登録の依頼を行い（図示せず）、かかる依頼の処理結果を表示する（同図の（Ａ−５）参照）。
【０１２６】
なお、同図の（Ａ−５）には、精算機４００の操作・表示部５４ｂに対して、仮会員登録の完了通知ならびに本会員登録についてのガイダンスを表示した場合の例を示している。
【０１２７】
次に、台間装置１０が実行する処理手順について図７を用いて説明する。図７は、台間装置１０が実行する処理手順を示すフローチャートである。
【０１２８】
図７に示したように、台間装置１０は、操作部１３が受け付けた操作内容を、操作履歴生成部１６ａが随時記憶部１７の操作履歴１７ｂへ記憶する（ステップＳ１０１）。
【０１２９】
そして、台間装置１０は、携帯ＩＤ読取部１２が携帯かざし操作を受け付けたか否かを判定する（ステップＳ１０２）。そして、かかるかざし操作を受け付けた場合には（ステップＳ１０２，Ｙｅｓ）、操作履歴生成部１６ａが、かかるかざし操作を受け付けた旨を携帯ＩＤと併せて操作履歴１７ｂへ記憶する（ステップＳ１０３）。
【０１３０】
なお、ステップＳ１０２の判定条件を満たさなかった場合には（ステップＳ１０２，Ｎｏ）、ステップＳ１０２の処理を繰り返す。
【０１３１】
つづいて、台間装置１０は、カード返却操作を受け付けたか否かを判定する（ステップＳ１０４）。これは、遊技終了時のカード返却指示に相当する「返却ボタン」などの押下を受け付けたか否かを指す。そして、同操作を受け付けた場合には（ステップＳ１０４，Ｙｅｓ）、台間装置１０は、ステップＳ１０５へ制御を移す。
【０１３２】
なお、ステップＳ１０４の判定条件を満たさなかった場合には（ステップＳ１０４，Ｎｏ）、ステップＳ１０４の処理を繰り返す。
【０１３３】
そして、台間装置１０は、カード返却操作を受け付けた時点での持玉あるいはプリペイド残額があるか否かを判定する（ステップＳ１０５）。そして、持玉あるいはプリペイド残額がある場合には（ステップＳ１０５，Ｙｅｓ）、操作履歴１７ｂ、持玉情報１７ａ、残額情報１７ｃの関連付け先を一般カード１Ｐとするよう、管理装置２００のカード管理部２０２ａに対して通知する（ステップＳ１０６）。
【０１３４】
そして、台間装置１０は、一般カード１Ｐの排出を行ったうえで（ステップＳ１０７）、処理を終了する。なお、ステップＳ１０５の判定条件を満たさなかった場合には（ステップＳ１０５，Ｎｏ）、台間装置１０は、操作履歴１７ｂなどの一般カード１Ｐへの関連付けを行わずに処理を終了する。すなわち、カード返却操作を受け付けた時点で、持玉およびプリペイド残額とも有しない一般客Ｐに対しては、一般カード１Ｐを用いた会員登録促進は行われないこととなる。
【０１３５】
次に、登録促進端末９００が実行する処理手順について図８を用いて説明する。図８は、登録促進端末９００が実行する処理手順を示すフローチャートである。
【０１３６】
図８に示したように、登録促進端末９００は、一般カード１Ｐの挿入を受け付けたか否かを判定する（ステップＳ２０１）。そして、同カード１Ｐの挿入を受け付けた場合には（ステップＳ２０１，Ｙｅｓ）、カード読取部９０２がカード識別子などを読み取り（ステップＳ２０２）、管理装置２００のカード管理部２０２ａに対してカード識別子を通知する（ステップＳ２０３）。
【０１３７】
なお、ステップＳ２０１の判定条件を満たさなかった場合には（ステップＳ２０１，Ｎｏ）、ステップＳ２０１の処理を繰り返す。
【０１３８】
そして、登録促進端末９００は、管理装置２００がかかるカード識別子に基づいて通知する登録促進指示を受信して、操作・表示部９０３へ表示する（ステップＳ２０４）。
【０１３９】
つづいて、登録促進端末９００は、見込み客Ｔによる会員登録指示操作を受け付けたか否かを判定する（ステップＳ２０５）。そして、かかる指示操作を受け付けた場合には（ステップＳ２０５，Ｙｅｓ）、登録促進部９０４ａが、管理装置２００の登録促進指示部２０２ｃに対して、会員登録の依頼を行う（ステップＳ２０６）。
【０１４０】
そして、登録促進端末９００は、管理装置２００から会員登録の処理結果を受け取り、受け取った処理結果内容を操作・表示部９０３へ表示したうえで（ステップＳ２０７）、処理を終了する。
【０１４１】
なお、ステップＳ２０５の判定条件を満たさなかった場合には（ステップＳ２０５，Ｎｏ）、登録促進端末９００は、会員登録促進を行ったものの、会員登録までには至らなかったものとして処理を終了する。
【０１４２】
ところで、これまでは、精算機４００を登録促進端末９００とする場合について説明してきたが、精算機４００と同様に、会員登録促進に関連するユーザインタフェースを提供する機構を備えた装置、たとえば、台間装置１０を登録促進端末９００とすることとしてもよい。
【０１４３】
そこで、以下では、台間装置１０が登録促進端末９００である場合について、図９を用いて説明することとする。図９は、台間装置１０が登録促進端末９００である場合の変形例を示す図である。なお、同図の（Ａ）には、遊技中に会員登録促進を行う場合の例を、同図の（Ｂ）には、遊技終了時に自動的に会員登録へ誘導する場合の例を、それぞれ示している。
【０１４４】
図９の（Ａ）に示したように、たとえば、遊技中に、台間装置１０が、一般客Ｐによるｉボタンの押下と携帯かざし操作とを受け付けた場合（同図の（Ａ−１）参照）、台間装置１０は、操作・表示部５４ａに対して会員登録促進メッセージを表示する（同図の（Ａ−２）参照）。
【０１４５】
すなわち、操作履歴などを関連付けた一般カード１Ｐを介在する媒体とせずに会員登録促進を行うこととなるが、かかる場合、台間装置１０が、操作履歴１７ｂと管理装置２００の登録促進情報２０３ｂとを照合して促進パターン（図５参照）を取得することとすればよい。もしくは、台間装置１０が、管理装置２００の登録促進情報２０３ｂに対応する定義情報を有することとしてもよい。
【０１４６】
また、図９の（Ｂ）に示したように、台間装置１０が、遊技終了に相当するカード返却操作を受け付けた場合（同図の（Ｂ−１）参照）、持玉あるいはプリペイド残額が存在したならば（図示せず）、台間装置１０は、携帯通信部５６を点滅させて携帯のかざし操作を促すこととしてもよい（同図の（Ｂ−２）参照）。
【０１４７】
この場合、台間装置１０は、促した携帯かざし操作および暗証番号などの入力を受け付け（同図の（Ｂ−３）参照）、管理装置２００に対して会員登録（同図では仮会員）を依頼し、かかる依頼の処理結果の表示などを行う（同図の（Ｂ−４）参照）。
【０１４８】
すなわち、かかる場合も、同図の（Ａ）に示した場合と同様に、操作履歴などを関連付けた一般カード１Ｐを介在する媒体とせずに自動的に会員登録を行う。なお、持玉やプリペイド残額については、一般カード１Ｐに関連付けることとしてもよいし、取得した携帯ＩＤなどに関連付けることとしてもよい。
【０１４９】
また、これまでは、所定の操作パターンごとの登録促進指示パターンをあらかじめ定義した登録促進情報（図５参照）を用いる場合について説明した。しかし、かかる登録促進情報を、たとえば、台間装置１０において実施する簡易なアンケートなどの回答パターン群として定義することとしてもよい。
【０１５０】
以下では、かかる登録促進情報の定義の変形例について、図１０を用いて説明する。図１０は、登録促進情報の定義の変形例を示す図である。
【０１５１】
図１０に示したように、登録促進情報は、上述した簡易なアンケートなどの回答パターンごととすることもできる。かかるアンケートの実施にあたって、台間装置１０は、操作・表示部５４ａを用いて、会員登録に関するアンケート画面の表示や遊技客の回答受付を行うこととすればよい。
【０１５２】
また、同図には、回答選択肢が「はい」と「いいえ」との２個である設問を、３個設けた場合の定義例を示している。したがって、かかるアンケートの回答パターンには８通りが存在するが、かかる回答パターンごとに、たとえば、見込み客Ｔの見込み度などを対応付けることができる。
【０１５３】
すなわち、遊技店側がかかる見込み度を細分化して、より緻密な会員登録促進を行いたい場合には、設問の回答選択肢あるいは設問数を増やすことで対応することが可能となる。
【０１５４】
上述してきたように、本実施例では、台間装置が、遊技客の操作履歴を生成し、生成した操作履歴を一般カードへと関連付けるよう管理装置へ指示し、管理装置が、一般カードのカード情報と所定の操作パターンごとに促進パターンを定義した登録促進情報とに基づいて見込み客を選定し、選定した見込み客に対する所定の会員登録促進を指示し、登録促進端末が、かかる会員登録促進指示にしたがって見込み客に応じた会員登録促進情報を提示するように会員登録促進システムを構成した。したがって、潜在的な携帯会員登録希望者の意思をくみとりつつ、かつ、従業員の手を煩わすことなく会員登録促進を行うことができる。
【０１５５】
なお、上述した実施例では、登録促進端末が、主に精算機あるいは台間装置である場合について説明したが、店内カウンタなどに配置され、貯玉などの会員サービスを希望する一般客の仮会員登録を受け付けることができる会員端末を登録促進端末として構成することとしてもよい。
【０１５６】
かかる場合、遊技を終えた一般客が、店内カウンタのカード処理機に一般カードを挿入した際、かかる一般カードに関連付けられた操作履歴に基づいて会員端末が有する表示部などに、たとえば仮会員登録を促すメッセージなどを表示して、仮会員登録を促すこととすればよい。
【０１５７】
あるいは、店内カウンタに配置される景品管理機の表示部などへ、かかる一般カードをカード処理機へ挿入した一般客が見込み客である旨を報知し、同カウンタに所在する従業員が直接口頭などで会員登録促進を行うこととしてもよい。したがって、かかる場合には、上述してきた仮会員登録促進だけでなく、申込用紙などを必要とする本会員登録の促進も可能となる。
【０１５８】
また、上述した実施例では、携帯会員の会員登録促進を行う場合について説明したが、カード会員の会員登録促進を行う場合に、本発明による手法を適用することとしてもよい。
【０１５９】
かかる場合、たとえば、携帯電話をかざさないで貯玉ボタンを押下するといった、携帯電話を利用しない所定の操作パターンとカード会員向けの登録促進パターンとをあらかじめ登録促進情報へ定義しておくこととなる。そして、かかる所定の操作パターンに合致する操作履歴が関連付けられた一般カードを所持する一般客に対して、カード会員向けの登録促進パターンを適用することとすればよい。
【産業上の利用可能性】
【０１６０】
以上のように、本発明に係る会員登録促進システムは、潜在的な携帯会員登録希望者の意思をくみとりつつ、かつ、従業員の手を煩わすことなく会員登録促進を行いたい場合に有用であり、特に、会員登録促進に伴う従業員作業の煩雑さを解消し、稼働率の向上を企図する遊技店のシステムへの適用に適している。
【符号の説明】
【０１６１】
１Ｐ  一般カード
１０    台間装置
１１    通信Ｉ／Ｆ（インタフェース）
１２    携帯ＩＤ読取部
１３    操作部
１４    カード保持部
１５    計数部
１６    制御部
１６ａ  操作履歴生成部
１６ｂ  関連付け部
１７    記憶部
１７ａ  残額情報
１７ｂ  操作履歴
１７ｃ  持玉情報
２０    店舗内ＬＡＮ
５１    状態表示部
５２    紙幣挿入部
５３    リモコン受光部
５４ａ  操作・表示部
５５    持玉払出部
５６    携帯通信部
５７ａ  カード挿入部
５８    計数部
５９    玉貯留部
５４ｂ  操作・表示部
５７ｂ  カード挿入部
６０    紙幣払出部
６１    硬貨払出部
１００    遊技台
２００    管理装置
２００ａ  登録促進ＤＢ
２００ｂ  会員ＤＢ
２００ｃ  仮会員ＤＢ
２０１    通信Ｉ／Ｆ（インタフェース）
２０２    制御部
２０２ａ  カード管理部
２０２ｂ  見込み客選定部
２０２ｃ  登録促進指示部
２０３    記憶部
２０３ａ  カード情報
２０３ｂ  登録促進情報
２０３ｃ  会員情報
３００    島コントローラ
４００    精算機
５００    会員端末
６００    カード処理機
７００    景品管理機
８００    景品払出機
９００    登録促進端末
９０１    通信Ｉ／Ｆ（インタフェース）
９０２    カード読取部
９０３    操作・表示部
９０４    制御部
９０４ａ  登録促進部
【図１】
0005480639.tif 000002
【図２】
0005480639.tif 000003
【図３】
0005480639.tif 000004
【図４】
0005480639.tif 000005
【図５】
0005480639.tif 000006
【図６】
0005480639.tif 000007
【図７】
0005480639.tif 000008
【図８】
0005480639.tif 000009
【図９】
0005480639.tif 000010
【図１０】
0005480639.tif 000011